(57)【特許請求の範囲】
【請求項１】
無線通信のための第１の装置であって、
マルチ・ユーザ（ＭＵ）送信を受信する装置のグループを識別するグループ識別子（ＩＤ）の割当を要求するメッセージを、第２の装置へ送信するように構成された送信機と、
割り当てられたグループＩＤに対応する、前記装置のグループの空間ストリーム割当が、前記第１の装置と前記第２の装置とで同じになるように、前記割り当てられたグループＩＤを示すインジケーションを、前記第２の装置から受信するように構成された受信機とを備え、
前記メッセージはまた、前記装置のグループのための空間ストリーム割当の割当を要求するためのものであり、
前記受信機はさらに、前記装置のグループのための空間ストリーム割当を示すインジケーションを受信するように構成された、第１の装置。
【請求項２】
前記送信機は、前記割り当てられたグループＩＤおよび前記空間ストリーム割当に基づいて、前記第１の装置から、前記装置のグループのうちの少なくとも１つへＭＵ送信を送信するように構成された、請求項１に記載の第１の装置。
【請求項３】
前記送信機はさらに、前記装置のグループのうちの少なくとも１つのための空間ストリーム割当および前記グループＩＤを示す別のメッセージを、前記装置のグループのうちの少なくとも１つへ送信するように構成された、請求項１に記載の第１の装置。
【請求項４】
前記割り当てられたグループＩＤに対応する空間ストリーム割当を決定するように構成された処理システムをさらに備え、
前記送信機はさらに、前記装置のグループのうちの少なくとも１つのための空間ストリーム割当および前記グループＩＤを示す別のメッセージを、前記装置のグループのうちの少なくとも１つへ送信するように構成された、請求項１に記載の第１の装置。
【請求項５】
前記ＭＵ送信は、前記第１の装置と前記装置のグループとの間のダイレクト・リンク・サービス（ＤＬＳ）送信、またはマルチ・ユーザ複数入力複数出力（ＭＵ−ＭＩＭＯ）送信のうちの少なくとも１つを備える、請求項１に記載の第１の装置。
【請求項６】
無線通信のための方法であって、
マルチ・ユーザ（ＭＵ）送信を受信する装置のグループを識別するグループ識別子（ＩＤ）の割当を要求するメッセージを第１の装置から第２の装置へ送信することと、
割り当てられたグループＩＤに対応する、前記装置のグループの空間ストリーム割当が、前記第１の装置と前記第２の装置とで同じになるように、前記割り当てられたグループＩＤを示すインジケーションを、前記第２の装置から受信することとを備え、
前記装置のグループのための空間ストリーム割当を示すインジケーションを受信することをさらに備え、
前記メッセージはまた、前記装置のグループのための空間ストリーム割当の割当を要求するためのものである、方法。
【請求項７】
前記割り当てられたグループＩＤおよび前記空間ストリーム割当に基づいて、前記第１の装置から、前記装置のグループのうちの少なくとも１つへＭＵ送信を送信すること、をさらに備える請求項６に記載の方法。
【請求項８】
前記装置のグループのうちの少なくとも１つのための空間ストリーム割当および前記グループＩＤを示す別のメッセージを、前記装置のグループのうちの少なくとも１つへ送信すること、をさらに備える請求項６に記載の方法。
【請求項９】
前記割り当てられたグループＩＤに対応する空間ストリーム割当を決定することと、
前記装置のグループのうちの少なくとも１つのための空間ストリーム割当および前記グループＩＤを示す別のメッセージを、前記装置のグループのうちの少なくとも１つへ送信することと、
をさらに備える請求項６に記載の方法。
【請求項１０】
前記ＭＵ送信は、前記第１の装置と前記装置のグループとの間のダイレクト・リンク・サービス（ＤＬＳ）送信、またはマルチ・ユーザ複数入力複数出力（ＭＵ−ＭＩＭＯ）送信のうちの少なくとも１つを備える、請求項６に記載の方法。
【請求項１１】
無線通信のための第１の装置であって、
マルチ・ユーザ（ＭＵ）送信を受信する装置のグループを識別するグループ識別子（ＩＤ）の割当を要求するメッセージを第２の装置へ送信する手段と、
割り当てられたグループＩＤに対応する、前記装置のグループの空間ストリーム割当が、前記第１の装置と前記第２の装置とで同じになるように、前記割り当てられたグループＩＤを示すインジケーションを、前記第２の装置から受信する手段とを備え、
前記メッセージはまた、前記装置のグループのための空間ストリーム割当の割当を要求するためのものであり、
前記受信する手段はさらに、前記装置のグループのための空間ストリーム割当を示すインジケーションを受信するように構成された、第１の装置。
【請求項１２】
前記送信する手段はさらに、前記割り当てられたグループＩＤおよび前記空間ストリーム割当に基づいて、前記装置のグループのうちの少なくとも１つへＭＵ送信を送信するように構成された、請求項１１に記載の第１の装置。
【請求項１３】
前記送信する手段はさらに、前記装置のグループのうちの少なくとも１つのための空間ストリーム割当および前記グループＩＤを示す別のメッセージを、前記装置のグループのうちの少なくとも１つへ送信するように構成された、請求項１１に記載の第１の装置。
【請求項１４】
前記割り当てられたグループＩＤに対応する空間ストリーム割当を決定する手段をさらに備え、
前記送信する手段はさらに、前記装置のグループのうちの少なくとも１つのための空間ストリーム割当および前記グループＩＤを示す別のメッセージを、前記装置のグループのうちの少なくとも１つへ送信するように構成された、請求項１１に記載の第１の装置。
【請求項１５】
前記ＭＵ送信は、前記第１の装置と前記装置のグループとの間のダイレクト・リンク・サービス（ＤＬＳ）送信、またはマルチ・ユーザ複数入力複数出力（ＭＵ−ＭＩＭＯ）送信のうちの少なくとも１つを備える、請求項１１に記載の第１の装置。
【請求項１６】
無線通信のためのコンピュータ・プログラムが記憶されたコンピュータ読取可能な記憶媒体であって、
前記コンピュータ・プログラムは、
マルチ・ユーザ（ＭＵ）送信を受信する装置のグループを識別するグループ識別子（ＩＤ）の割当を要求するメッセージを第１の装置から第２の装置へ送信し、
割り当てられたグループＩＤに対応する、前記装置のグループの空間ストリーム割当が、第前記１の装置と前記第２の装置とで同じになるように、前記割り当てられたグループＩＤを示すインジケーションを、前記第２の装置から受信する、
ように実行可能な命令群を備え、
前記メッセージはまた、前記装置のグループのための空間ストリーム割当の割当を要求するためのものであり、
前記受信することはさらに、前記装置のグループのための空間ストリーム割当を示すインジケーションを受信することを含む、コンピュータ読取可能な記憶媒体。
【請求項１７】
無線ノードであって、
少なくとも１つのアンテナと、
マルチ・ユーザ（ＭＵ）送信を受信する装置のグループを識別するグループ識別子（ＩＤ）の割当を要求するメッセージを、装置へ送信するように構成された送信機と、
割り当てられたグループＩＤに対応する、前記装置のグループの空間ストリーム割当が、前記無線ノードと前記装置とで同じになるように、前記割り当てられたグループＩＤを示すインジケーションを前記装置から受信するように構成された受信機とを備え、
前記メッセージはまた、前記装置のグループのための空間ストリーム割当の割当を要求するためのものであり、
前記受信機はさらに、前記装置のグループのための空間ストリーム割当を示すインジケーションを受信するように構成された、無線ノード。
【請求項１８】
無線通信のための第１の装置であって、
マルチ・ユーザ（ＭＵ）送信を受信する装置のグループを識別するグループ識別子（ＩＤ）の割当を要求するメッセージを第２の装置から受信するように構成された受信機と、
割り当てられたグループＩＤに対応する、前記装置のグループの空間ストリーム割当が、前記第１の装置と前記第２の装置とで同じになるように、前記割り当てられたグループＩＤを示すインジケーションを、前記第２の装置へ送信するように構成された送信機とを備え、
前記メッセージはまた、前記装置のグループのための空間ストリーム割当の割当を要求するためのものであり、
前記送信機はさらに、前記装置のグループのための空間ストリーム割当を示すインジケーションを送信するように構成された、第１の装置。
【請求項１９】
前記装置のグループに前記グループＩＤを割り当てるように構成された処理システム、をさらに備える請求項１８に記載の第１の装置。
【請求項２０】
前記処理システムは、前記グループＩＤおよび前記空間ストリーム割当を割り当てるように構成され、
請求項１９に記載の第１の装置。
【請求項２１】
前記送信機は、前記装置のグループのうちの少なくとも１つのための空間ストリーム割当および前記グループＩＤを示す別のメッセージを、前記装置のグループのうちの少なくとも１つへ送信するように構成された、請求項２０に記載の第１の装置。
【請求項２２】
前記受信機はさらに、前記別のメッセージを受信した、前記装置のグループのうちの少なくとも１つから、アクノレッジメント（ＡＣＫ）を受信するように構成された、請求項２１に記載の第１の装置。
【請求項２３】
処理システムをさらに備え、
前記ＭＵ送信は、前記第２の装置と前記装置のグループとの間のダイレクト・リンク・サービス（ＤＬＳ）送信を備え、
前記処理システムは、
前記第２の装置が、前記第１の装置と前記第２の装置との間での機能交換によって、前記ＤＬＳ送信のために構成されていると判定し、多くの装置が前記装置とのＤＬＳ接続を有していると判定するように構成され、
前記送信機は、前記空間ストリーム割当を、前記多くの装置へ送信するように構成された、請求項１８に記載の第１の装置。
【請求項２４】
前記ＭＵ送信は、前記第２の装置と前記装置のグループとの間のダイレクト・リンク・サービス（ＤＬＳ）送信、またはマルチ・ユーザ複数入力複数出力（ＭＵ−ＭＩＭＯ）送信のうちの少なくとも１つを備える、請求項１８に記載の第１の装置。
【請求項２５】
無線通信のための方法であって、
マルチ・ユーザ（ＭＵ）送信を受信する装置のグループを識別するグループ識別子（ＩＤ）の割当を要求するメッセージを、第１の装置において、第２の装置から受信することと、
割り当てられたグループＩＤに対応する、装置のグループの空間ストリーム割当が、前記第１の装置と前記第２の装置とで同じになるように、前記割り当てられたグループＩＤを示すインジケーションを、前記第２の装置へ送信することと、
前記空間ストリーム割当を割り当てることと、ここで、前記メッセージはまた、前記装置のグループのための空間ストリーム割当の割当を要求するためのものである、
前記装置のグループのための空間ストリーム割当を示すインジケーションを送信することと、
を備える方法。
【請求項２６】
前記装置のグループに前記グループＩＤを割り当てること、をさらに備える請求項２５に記載の方法。
【請求項２７】
前記装置のグループのうちの少なくとも１つのための空間ストリーム割当および前記グループＩＤを示す別のメッセージを、前記装置のグループのうちの少なくとも１つへ送信すること、をさらに備える請求項２６に記載の方法。
【請求項２８】
前記別のメッセージを受信した、前記装置のグループのうちの少なくとも１つから、アクノレッジメント（ＡＣＫ）を受信すること、をさらに備える請求項２７に記載の方法。
【請求項２９】
前記第２の装置が、前記第１の装置と前記第２の装置との間での機能交換によって、前記ＤＬＳ送信のために構成されていると判定することと、ここで、前記ＭＵ装置は、前記第２の装置と前記装置のグループとの間のダイレクト・リンク・サービス（ＤＬＳ）送信を備える、
多くの装置が前記第２の装置とのＤＬＳ接続を有していると判定することと、
前記空間ストリーム割当を、前記多くの装置へ送信することと、
をさらに備える請求項２５に記載の方法。
【請求項３０】
前記ＭＵ送信は、前記第２の装置と前記装置のグループとの間のダイレクト・リンク・サービス（ＤＬＳ）送信、またはマルチ・ユーザ複数入力複数出力（ＭＵ−ＭＩＭＯ）送信のうちの少なくとも１つを備える、請求項２５に記載の方法。
【請求項３１】
無線通信のための第１の装置であって、
マルチ・ユーザ（ＭＵ）送信を受信する装置のグループを識別するグループ識別子（ＩＤ）の割当を要求するメッセージを第２の装置から受信する手段と、
割り当てられたグループＩＤに対応する、装置のグループの空間ストリーム割当が、前記第１の装置と前記第２の装置とで同じになるように、前記割り当てられたグループＩＤを示すインジケーションを、前記第２の装置へ送信する手段とを備え、
前記メッセージはまた、前記装置のグループのための空間ストリーム割当の割当を要求するためのものであり、
前記送信する手段はさらに、前記装置のグループのための前記空間ストリーム割当を示すインジケーションを送信するように構成された、第１の装置。
【請求項３２】
前記装置のグループに前記グループＩＤを割り当てる手段、をさらに備える請求項３１に記載の第１の装置。
【請求項３３】
前記割り当てる手段はさらに、前記空間ストリーム割当を割り当てるように構成された、請求項３２に記載の第１の装置。
【請求項３４】
前記送信する手段はさらに、前記装置のグループのうちの少なくとも１つのための空間ストリーム割当および前記グループＩＤを示す別のメッセージを、前記装置のグループのうちの少なくとも１つへ送信するように構成された、請求項３３に記載の第１の装置。
【請求項３５】
前記受信する手段はさらに、前記別のメッセージを受信した、前記装置のグループのうちの少なくとも１つから、アクノレッジメント（ＡＣＫ）を受信するように構成された、請求項３４に記載の第１の装置。
【請求項３６】
前記第２の装置が、前記第１の装置と前記第２の装置との間での機能交換によって、前記ＤＬＳ送信のために構成されていると判定する手段と、ここで、前記ＭＵ装置は、前記第２の装置と前記装置のグループとの間のダイレクト・リンク・サービス（ＤＬＳ）送信を備える、
多くの装置が前記第２の装置とのＤＬＳ接続を有していると判定する手段と、ここで、前記送信する手段はさらに、前記空間ストリーム割当を、前記多くの装置へ送信するように構成された、
をさらに備える請求項３１に記載の第１の装置。
【請求項３７】
前記ＭＵ送信は、前記第２の装置と前記装置のグループとの間のダイレクト・リンク・サービス（ＤＬＳ）送信、またはマルチ・ユーザ複数入力複数出力（ＭＵ−ＭＩＭＯ）送信のうちの少なくとも１つを備える、請求項３１に記載の第１の装置。
【請求項３８】
無線通信のためのコンピュータ・プログラムが記憶されたコンピュータ読取可能な記憶媒体であって、
前記コンピュータ・プログラムは、
マルチ・ユーザ（ＭＵ）送信を受信する装置のグループを識別するグループ識別子（ＩＤ）の割当を要求するメッセージを、第１の装置において、第２の装置から受信し、
割り当てられたグループＩＤに対応する、前記装置のグループの空間ストリーム割当が、前記第１の装置と前記第２の装置とで同じになるように、前記割り当てられたグループＩＤを示すインジケーションを、前記第２の装置へ送信する、ように実行可能な命令群を備え、
前記メッセージはまた、前記装置のグループのための空間ストリーム割当の割当を要求するためのものであり、
前記送信することはさらに、前記装置のグループのための前記空間ストリーム割当を示すインジケーションを送信することを含む、コンピュータ読取可能な記憶媒体。
【請求項３９】
アクセス・ポイントであって、
少なくとも１つのアンテナと、
マルチ・ユーザ（ＭＵ）送信を受信する装置のグループを識別するグループ識別子（ＩＤ）の割当を要求するメッセージを、前記少なくとも１つのアンテナを介して装置から受信するように構成された受信機と、
割り当てられたグループＩＤに対応する、装置のグループの空間ストリーム割当が、前記アクセス・ポイントと前記装置とで同じになるように、前記割り当てられたグループＩＤを示すインジケーションを前記装置へ送信するように構成された送信機とを備え、
前記メッセージはまた、前記装置のグループのための空間ストリーム割当の割当を要求するためのものであり、
前記送信機はさらに、前記装置のグループのための前記空間ストリーム割当を示すインジケーションを送信するように構成された、アクセス・ポイント。
【発明の詳細な説明】
【関連出願に対する相互参照】
【０００１】
この出願は、参照によって本明細書に組み込まれている２０１１年１月１４日（代理人整理番号１１０７２３Ｐ１）出願の「ダイレクト・リンク・サービス（ＤＬＳ）のためのグループＩＤ割当」（GROUP ID ALLOCATION FOR DIRECT LINK SERVICE (DLS)）と題された米国仮出願６１／４３３，０６６の利益を主張する。
【技術分野】
【０００２】
本開示のある態様は、一般に、無線通信に関し、さらに詳しくは、ダイレクト・リンク・サービス（ＤＬＳ）送信またはダウンリンク（ＤＬ）ＭＵ−ＭＩＭＯ送信の何れかのために、グループＩＤが、特定の局（ＳＴＡ）のために割り当てられた同じ空間ストリーム位置にマップすることを保証するために、マルチ・ユーザ複数入力複数出力（ＭＵ−ＭＩＭＯ）スキームにおいてグループ識別子（ＩＤ）を管理することに関する。
【背景技術】
【０００３】
無線通信システムのために要求される帯域幅要件が増加する問題に対処するために、複数のユーザ端末が、チャネル・リソースを共有することによって、高データ・スループットを達成しながら、単一のアクセス・ポイントと通信することを可能にするための、異なるスキームが開発されている。複数入力複数出力（ＭＩＭＯ）技術は、次世代通信システムのためのポピュラーな技術として最近現れたこのような１つのアプローチを表す。ＭＩＭＯ技術は、例えば電気電子学会（ＩＥＥＥ）８０２．１１規格のようないくつかの新興の無線通信規格に採用された。ＩＥＥＥ  ８０２．１１は、短距離通信（例えば、数１０メートルから数１００メートル）のためにＩＥＥＥ  ８０２．１１委員会によって開発された無線ローカル・エリア・ネットワーク（ＷＬＡＮ）エア・インタフェース規格のセットを示す。
【０００４】
ＭＩＭＯ無線システムは、データ送信のために、複数（ＮＴ個）の送信アンテナと、複数（ＮＲ個）の受信アンテナとを使用する。ＮＴ個の送信アンテナおよびＮＲ個の受信アンテナによって形成されたＭＩＭＯチャネルは、空間チャネルまたは空間ストリームとも称される（ＮＳ個の）独立チャネルへ分解される。ここで、ＮＳ≦ｍｉｎ｛ＮＴ，ＮＲ｝である。ＮＳ個の独立チャネルのおのおのは、ディメンションに相当する。複数の送信アンテナおよび受信アンテナによって生成される追加のディメンションが利用される場合、ＭＩＭＯシステムは、（例えば、より高いスループット、および／または、より高い信頼性のような）向上されたパフォーマンスを与えうる。
【０００５】
単一のアクセス・ポイント（ＡＰ）と複数のユーザ局（ＳＴＡ）とを備える無線ネットワークでは、アップリンク方向とダウンリンク方向との両方において、複数のチャネルにおいて、異なる局への同時送信が生じうる。このようなシステムには、多くのチャレンジがある。
【発明の概要】
【０００６】
本開示のある態様は、一般に、無線ローカル・エリア・ネットワーク（ＷＬＡＮ）に適合する。ここでは、アクセス・ポイント（ＡＰ）が、複数の局（ＳＴＡ）へ送信するためのデータを有するか、または、ＳＴＡがＡＰ介在なくＳＴＡ間でデータを転送することを可能にするダイレクト・リンク・サービス（ＤＬＳ）を、ＷＬＡＮが含んでいる。ダウンリンク空間分割多元接続（ＤＬ−ＳＤＭＡ）技術を用いることによって、例えば、ＡＰまたはＤＬＳ送信機（ＤＬＳ−ＴｘＳＴＡ）は、複数のＳＴＡに向けて同時にデータを送信しうる。本開示のある態様は一般に、グループＩＤが、特定の局（ＳＴＡ）のために割り当てられた同じ空間ストリーム位置にマップすることを保証するために、マルチ・ユーザ複数入力複数出力（ＭＵ−ＭＩＭＯ）スキームにおいてグループ識別子（ＩＤ）を管理することに関する。ＭＵ−ＭＩＭＯスキームは、例えば、ＤＬＳまたはダウンリンク（ＤＬ）ＭＵ−ＭＩＭＯプロトコルを備えうる。
【０００７】
本開示のある態様は、無線通信のための方法を提供する。この方法は、一般に、マルチ・ユーザ（ＭＵ）送信を受信する装置のグループを識別するグループ識別子（ＩＤ）の割当を要求するメッセージを第１の装置から第２の装置へ送信することと、割り当てられたグループＩＤに対応する、装置のグループの空間ストリーム割当が、第１の装置と第２の装置とで同じになるように、割り当てられたグループＩＤを示すインジケーションを、第２の装置から受信することと、を含む。
【０００８】
本開示のある態様は、無線通信のための第１の装置を提供する。第１の装置は一般に、ＭＵ送信を受信する装置のグループを識別するグループＩＤの割当を要求するメッセージを、第２の装置へ送信するように構成された送信機と、割り当てられたグループＩＤに対応する、装置のグループの空間ストリーム割当が、第１の装置と第２の装置とで同じになるように、割り当てられたグループＩＤを示すインジケーションを、第２の装置から受信するように構成された受信機と、を含む。
【０００９】
本開示のある態様は、無線通信のための第１の装置を提供する。第１の装置は一般に、ＭＵ送信を受信する装置のグループを識別するグループＩＤの割当を要求するメッセージを第２の装置へ送信する手段と、割り当てられたグループＩＤに対応する、装置のグループの空間ストリーム割当が、第１の装置と第２の装置とで同じになるように、割り当てられたグループＩＤを示すインジケーションを、第２の装置から受信する手段と、を含む。
【００１０】
本開示のある態様は、無線通信のためのコンピュータ・プログラム製品を提供する。コンピュータ・プログラム製品は一般に、ＭＵ送信を受信する装置のグループを識別するグループＩＤの割当を要求するメッセージを、第１の装置から第２の装置へ送信し、割り当てられたグループＩＤに対応する、装置のグループの空間ストリーム割当が、第１の装置と第２の装置とで同じになるように、割り当てられたグループＩＤを示すインジケーションを、第２の装置から受信する、ように実行可能な命令群を有するコンピュータ読取可能な媒体を含む。
【００１１】
本開示のある態様は、例えばＤＬＳ送信機のような無線ノードを提供する。無線ノードは一般に、少なくとも１つのアンテナと、ＭＵ送信を受信する装置のグループを識別するグループＩＤの割当を要求するメッセージを、少なくとも１つのアンテナを介して装置へ送信するように構成された送信機と、割り当てられたグループＩＤに対応する、装置のグループの空間ストリーム割当が、第１の装置と第２の装置とで同じになるように、割り当てられたグループＩＤを示すインジケーションを装置から受信するように構成された受信機と、を含む。
【００１２】
本開示のある態様は、無線通信のための方法を提供する。この方法は一般に、ＭＵ送信を受信する装置のグループを識別するグループＩＤの割当を要求するメッセージを、第１の装置において、第２の装置から受信することと、割り当てられたグループＩＤに対応する、装置のグループの空間ストリーム割当が、第１の装置と第２の装置とで同じになるように、割り当てられたグループＩＤを示すインジケーションを、第２の装置へ送信することと、を含む。
【００１３】
本開示のある態様は、無線通信のための第１の装置を提供する。第１の装置は一般に、ＭＵ送信を受信する装置のグループを識別するグループＩＤの割当を要求するメッセージを、第２の装置から受信するように構成された受信機と、割り当てられたグループＩＤに対応する、装置のグループの空間ストリーム割当が、第１の装置と第２の装置とで同じになるように、割り当てられたグループＩＤを示すインジケーションを、第２の装置へ送信するように構成された送信機と、を含む。
【００１４】
本開示のある態様は、無線通信のための第１の装置を提供する。第１の装置は一般に、ＭＵ送信を受信する装置のグループを識別するグループＩＤの割当を要求するメッセージを、第２の装置から受信する手段と、割り当てられたグループＩＤに対応する、装置のグループの空間ストリーム割当が、第１の装置と第２の装置とで同じになるように、割り当てられたグループＩＤを示すインジケーションを、第２の装置へ送信する手段と、を含む。
【００１５】
本開示のある態様は、無線通信のためのコンピュータ・プログラム製品を提供する。このコンピュータ・プログラム製品は一般に、ＭＵ送信を受信する装置のグループを識別するグループＩＤの割当を要求するメッセージを、第１の装置において、第２の装置から受信し、割り当てられたグループＩＤに対応する、装置のグループの空間ストリーム割当が、第１の装置と第２の装置とで同じになるように、割り当てられたグループＩＤを示すインジケーションを、第２の装置へ送信する、ように実行可能な命令群を有するコンピュータ読取可能な媒体を含む。
【００１６】
本開示のある態様は、アクセス・ポイントを提供する。アクセス・ポイントは一般に、少なくとも１つのアンテナと、ＭＵ送信を受信する装置のグループを識別するグループＩＤの割当を要求するメッセージを、少なくとも１つのアンテナを介して装置から受信するように構成された受信機と、割り当てられたグループＩＤに対応する、装置のグループの空間ストリーム割当が、第１の装置と第２の装置とで同じになるように、割り当てられたグループＩＤを示すインジケーションを装置へ送信するように構成された送信機と、を含む。
【図面の簡単な説明】
【００１７】
本開示の前述した特徴が、より詳細に理解される方式で、簡潔に要約された前述の具体的な記載が、態様に対する参照によってなされている。そして、それらの幾つかは、添付図面で例示されている。しかしながら、この記載は、その他の等しく有効な態様に対しても当てはまるので、添付図面は、本開示のある典型的な態様のみを示していることや、本開示の範囲を限定するものとしては考慮されないことが注目されるべきである。
【図１】図１は、本開示のある態様にしたがう無線通信ネットワークの図解を例示する。
【図２】図２は、本開示のある態様にしたがうアクセス・ポイント（ＡＰ）およびユーザ端末の例のブロック図を例示する。
【図３】図３は、本開示のある態様にしたがう無線デバイスの例のブロック図を例示する。
【図４】図４は、本開示のある態様にしたがってアクセス・ポイントから送信されるプリアンブルの構造の例を例示する。
【図５】図５は、本開示のある態様にしたがって、（マルチ・ユーザ送信を受信することが可能なＳＴＡのグループを識別するグループ識別子に対応する）空間ストリーム割当が、ＡＰとＤＬＳ−ＴｘＳＴＡとで一致することを保証するために、例えば、ダイレクト・リンク・サービス（ＤＬＳ）送信機（ＤＬＳ−ＴｘＳＴＡ）の観点から実行されうる動作の例を例示する。
【図５Ａ】図５Ａは、図５に図示された動作を実行することが可能な手段の例を例示する。
【図６】図６は、本開示のある態様にしたがって、（グループ識別子に対応する）空間ストリーム割当が、ＡＰとＤＬＳ−ＴｘＳＴＡとの間で一致することを保証するために、（例えば）ＡＰに観点から実行されうる動作の例を例示する。
【図６Ａ】図６Ａは、図６に図示される動作を実行することが可能な手段の例を例示する。
【図７】図７は、本開示のある態様にしたがって、ＤＬＳ−ＴｘＳＴＡ、ＡＰ、およびＳＴＡのグループ間の交換を例示するコール／データ・フローである。
【発明を実施するための形態】
【００１８】
本開示のさまざまな態様は、添付図面を参照して以下により十分に記載される。しかしながら、本開示は、異なる多くの形態で具体化され、本開示を通じて示された如何なる具体的な構成または機能にも限定されるとは解釈されるべきではない。むしろ、これらの態様は、本開示が十分で完全であり、本開示の範囲を当業者に十分に伝達できるように提供される。本明細書における教示に基づいて、当業者は、本開示の範囲は、独立して実施されようが、あるいは、本開示の任意の他の態様と組み合わされようが、本明細書で示された開示の態様をカバーすることが意図されていることを認識すべきである。例えば、本明細書に記載された任意の数の態様を用いて装置が実現され、方法が実施されうる。さらに、本開示の範囲は、別の構成、機能、または、本明細書に記載された開示のさまざまな態様またはそれ以外の態様が追加された構成および機能を用いて実現される装置または方法をカバーすることが意図されている。本明細書で示された開示のあらゆる態様は、特許請求の範囲の１または複数の要素によって具体化されうる。
【００１９】
「典型的である」という単語は「例、事例、あるいは実例として役立つ」ことを意味するために本明細書で使用される。本明細書において「典型的」と記載されるいかなる態様も、他の態様よりも好適であるとか、有利であると必ずしも解釈される必要はない。さらに、本明細書で使用されるように、用語「レガシー局」は、一般に、電気電子学会（ＩＥＥＥ）８０２．１１規格またはＩＥＥＥ  ８０２．１１ｎ規格に治する初期の修正をサポートする無線ネットワーク・ノードを称する。
【００２０】
本明細書では、特定の態様が記載されているが、これら態様の多くの変形および置換が、本開示の範囲内にある。好適な態様のいくつかの利点および長所が述べられているが、本開示の範囲は、特定の利点、使用、および目的に限定されることは意図されていない。むしろ、本開示の態様は、このうちのいくつかが図面における例示によって、および、以下の好適な態様の記載によって例示されている異なる無線技術、システム構成、ネットワーク、および伝送プロトコルに広く適用可能であることが意図されている。詳細な記載および図面は、限定ではない開示の単なる例示であり、本開示の範囲は、特許請求の範囲およびその均等物によって定義される。
【００２１】
（典型的な無線通信システム）  
本明細書に記載された技術は、直交多重化スキームに基づく通信システムを含むさまざまなブロードバンド無線通信システムのために使用される。このような通信システムの例は、空間分割多元接続（ＳＤＭＡ）システム、時分割多元接続（ＴＤＭＡ）システム、直交周波数分割多元接続（ＯＦＤＭＡ）システム、シングル・キャリア周波数分割多元接続（ＳＣ−ＦＤＭＡ）システム等を含んでいる。ＳＤＭＡシステムは、複数のユーザ端末に属するデータを同時に送信するために、十分に異なる方向を利用しうる。ＴＤＭＡシステムによって、複数のユーザ端末は、送信信号を複数の異なる時間スロットに分割することによって、同じ周波数チャネルを共有できるようになる。ここで、おのおのの時間スロットは、異なるユーザ端末に割り当てられる。ＯＦＤＭＡシステムは、直交周波数分割多重（ＯＦＤＭ）を利用する。これは、システム帯域幅全体を、複数の直交サブ・キャリアへ分割する変調技術である。これらサブ・キャリアはまた、トーン、ビン等とも称されうる。各サブ・キャリアは、ＯＦＤＭを用いて、データと独立して変調される。ＳＣ−ＦＤＭＡシステムは、システム帯域幅にわたって分散されたサブ・キャリアで送信するインタリーブＦＤＭＡ（ＩＦＤＭＡ）、隣接するサブ・キャリアのブロックで送信するローカライズドＦＤＭＡ（ＬＦＤＭＡ）、あるいは、隣接するサブ・キャリアの複数のブロックで送信するエンハンストＦＤＭＡ（ＥＦＤＭＡ）を利用する。一般に、変調シンボルは、ＯＦＤＭでは周波数領域で、ＳＣ−ＦＤＭＡでは時間領域で送信される。
【００２２】
本明細書に記載された教示は、さまざまな有線装置または無線装置（例えば、ノード）へ組み込まれうる（例えば、これら内で実行されるか、これらによって実施される）。いくつかの態様では、本明細書における教示したがって実施される無線ノードは、アクセス・ポイントまたはアクセス端末を備えうる。
【００２３】
アクセス・ポイント（“ＡＰ”）は、ノードＢ、ラジオ・ネットワーク・コントローラ（“ＲＮＣ”）、イボルブド・ノードＢ（ｅＮＢ）、基地局コントローラ（“ＢＳＣ”）、基地トランシーバ局（“ＢＴＳ”）、基地局（“ＢＳ”）、トランシーバ機能（“ＴＦ”）、ラジオ・ルータ、ラジオ・トランシーバ、基本サービス・セット（“ＢＳＳ”）、拡張サービス・セット（“ＥＳＳ”）、ラジオ基地局（“ＲＢＳ”）、または、その他いくつかの専門用語として知られているか、備えうるか、実現されうる。
【００２４】
例えば、アクセス端末（“ＡＴ”）は、加入者局、加入者ユニット、移動局（ＭＳ）、遠隔局、遠隔端末、ユーザ端末（ＵＴ）、ユーザ・エージェント、ユーザ・デバイス、ユーザ機器（ＵＥ）、ユーザ局、またはその他いくつかの用語として知られているか、備えているか、または実現されうる。いくつかの実施において、アクセス端末は、セルラ電話、コードレス電話、セッション開始プロトコル（“ＳＩＰ”）電話、無線ローカル・ループ（“ＷＬＬ”）局、携帯情報端末（“ＰＤＡ”）、無線接続機能を有するハンドヘルド・デバイス、局（“ＳＴＡ”）、あるいは無線モデムに接続されたその他いくつかの適切な処理デバイスを備えうる。したがって、本明細書で教示された１または複数の態様は、電話（例えば、セルラ電話またはスマート・フォン）、コンピュータ（例えば、ラップトップ）、タブレット、ポータブル通信デバイス、ポータブル・コンピューティング・デバイス（例えば、情報携帯端末）、エンタテイメント・デバイス（例えば、音楽またはビデオ・デバイス、または衛星ラジオ）、全地球測位システム・デバイス（ＧＰＳ）、あるいは無線媒体または有線媒体によって通信するように構成されたその他任意の適切なデバイスに組み入れられうる。いくつかの態様では、ノードは無線ノードである。このような無線ノードは、例えば、有線または無線による通信リンクによる（例えば、インターネットまたはセルラ・ネットワークのような広域ネットワークのような）ネットワークへの、または、ネットワークのための接続を提供しうる。
【００２５】
図１は、アクセス・ポイントおよびユーザ端末を備えた多元接続複数入力複数出力（ＭＩＭＯ）システム１００を例示する。簡略のために、図１には、１つのアクセス・ポイント１１０しか示されていない。アクセス・ポイント（ＡＰ）は、一般に、ユーザ端末と通信する固定局であり、基地局、またはその他いくつかの用語でも称されうる。ユーザ端末は、据置式または移動式であり、移動局、局（ＳＴＡ）、クライアント、無線デバイス、またはその他いくつかの用語でも称されうる。アクセス・ポイント１１０は、ダウンリンクおよびアップリンクにおいて、所与の瞬間において、１または複数のユーザ端末１２０と通信しうる。ダウンリンク（すなわち、順方向リンク）は、アクセス・ポイントからユーザ端末への通信リンクであり、アップリンク（すなわち、逆方向リンク）は、ユーザ端末からアクセス・ポイントへの通信リンクである。ユーザ端末はまた、別のユーザ端末とピア・トゥ・ピアを通信しうる。システム・コントローラ１３０は、アクセス・ポイントに接続しており、アクセス・ポイントのための調整および制御を与える。
【００２６】
ある開示のために、後述する説明の一部は、空間分割多元接続（ＳＤＭＡ）で通信することが可能なユーザ端末１２０を説明しているが、ユーザ端末１２０はまた、ＳＤＭＡをサポートしないいくつかのユーザ端末をも含みうる。したがって、このような態様のために、ＡＰ１１０は、ＳＤＭＡユーザ端末と非ＳＤＭＡユーザ端末との両方と通信するように構成されうる。このアプローチによって、便利なことに、古いバージョンのユーザ端末（「レガシー」局）は、エンタープライズ内に引き続き配置され、有用な寿命を延ばすことができるようになるとともに、新たなＳＤＭＡユーザ端末が、適切なものとみなされて導入されるようになる。
【００２７】
システム１００は、ダウンリンクおよびアップリンクにおけるデータ送信のために複数の送信アンテナおよび複数の受信アンテナを適用する。アクセス・ポイント１１０は、Ｎａｐ個のアンテナを装備しており、ダウンリンク送信のための複数の入力（ＭＩ）と、アップリンク送信のための複数の出力（ＭＯ）とを示す。Ｋ個の選択されたユーザ端末１２０のセットは、集合的に、ダウンリンク送信のための複数の出力と、アップリンク送信のための複数の入力とを示す。純粋なＳＤＭＡの場合、Ｋ個のユーザ端末のためのデータ・シンボル・ストリームが、ある手段によって、符号、周波数、または時間で多重化されていない場合、Ｎａｐ≧Ｋ≧１を有することが望まれる。データ・シンボル・ストリームが、ＴＤＭＡ技術を用いて、ＣＤＭＡで異なる符号チャネルを用いて、ＯＦＤＭでサブ帯域の別のセットを用いて、等で多重化されうるのであれば、Ｋは、Ｎａｐよりも大きくなりうる。選択された各ユーザ端末は、ユーザ特有データをアクセス・ポイントへ送信するか、および／または、ユーザ特有データをアクセス・ポイントから受信する。一般に、選択されたユーザ端末はそれぞれ、１または複数のアンテナ（つまり、Ｎｕｔ≧１）を装備しうる。Ｋ個の選択されたユーザ端末は、同じまたは異なる数のアンテナを有しうる。
【００２８】
ＭＩＭＯシステム１００は、時分割デュプレクス（ＴＤＤ）システムあるいは周波数分割デュプレクス（ＦＤＤ）システムでありうる。ＴＤＤシステムの場合、ダウンリンクおよびアップリンクは、同じ周波数帯域を共有する。ＦＤＤシステムの場合、ダウンリンクおよびアップリンクは、異なる周波数帯を使用する。ＭＩＭＯシステム１００はさらに、送信のために単一のキャリアまたは複数のキャリアを利用しうる。ユーザ端末はそれぞれ、（例えば、コスト・ダウンを維持するために）単一アンテナを、あるいは、（例えば、追加コストが支援されうる場合）複数アンテナを装備しうる。ユーザ端末１２０が、送信／受信を、別の時間スロットに分割することによって、同じ周波数チャネルを共有する場合、システム１００は、ＴＤＭＡシステムでもありうる。ここで、おのおのの時間スロットは、異なるユーザ端末１２０に割り当てられる。
【００２９】
図２は、ＭＩＭＯシステム１００におけるアクセス・ポイント１１０と２つのユーザ端末１２０ｍ，１２０ｘのブロック図を例示する。アクセス・ポイント１１０は、アンテナ２２４ａ乃至２２４ａｐを装備している。ユーザ端末１２０ｍは、Ｎｕｔ，ｍ個のアンテナ２５２ｍａ乃至２５２ｍｕを装備し、ユーザ端末１２０ｘは、Ｎｕｔ，ｘ個のアンテナ２５２ｘａ乃至２５２ｘｕを装備している。アクセス・ポイント１１０は、ダウンリンクのための送信エンティティ、およびアップリンクのための受信エンティティである。ユーザ端末１２０はそれぞれ、アップリンクのための送信エンティティ、およびダウンリンクのための受信エンティティである。本明細書で使用されるように、「送信エンティティ」は、無線チャネルを介してデータを送信することが可能な、独立して動作する装置またはデバイスであり、「受信エンティティ」は、無線チャネルを介してデータを受信することが可能な、独立して動作する装置またはデバイスである。後述する説明では、添字“ｄｎ”は、ダウンリンクを示し、添字“ｕｐ”は、アップリンクを示し、Ｎｕｐ個のユーザ端末が、アップリンクにおける同時通信のために選択され、Ｎｄｎ個のユーザ端末が、ダウンリンクにおける同時通信のために選択され、Ｎｕｐは、Ｎｄｎと等しい場合も、等しくない場合もあり、ＮｕｐおよびＮｄｎは、固定値であることも、各スケジューリング・インタバルについて変動する場合もありうる。ビーム・ステアリングまたはその他のある空間処理技術が、アクセス・ポイントおよびユーザ端末において使用されうる。
【００３０】
アップリンクでは、アップリンク送信のために選択された各ユーザ端末１２０において、ＴＸデータ・プロセッサ２８８が、データ・ソース２８６からトラフィック・データを、コントローラ２８０から制御データを受け取る。ＴＸデータ・プロセッサ２８８は、ユーザ端末のために選択されたレートに関連付けられた符号化スキームおよび変調スキームに基づいて、ユーザ端末のためのトラフィック・データ｛ｄｕｐ，ｍ｝を処理（例えば、符号化、インタリーブ、および変調）し、データ・シンボル・ストリーム｛ｓｕｐ，ｍ｝を提供する。ＴＸ空間プロセッサ２９０は、データ・シンボル・ストリーム｛ｓｕｐ，ｍ｝について空間処理を実行し、Ｎｕｔ，ｍ個のアンテナのためにＮｕｔ，ｍ個の送信シンボル・ストリームを提供する。各送信機ユニット（ＴＭＴＲ）２５４は、それぞれの送信シンボル・ストリームを受信して処理（例えば、アナログ変換、増幅、フィルタ、および周波数アップコンバート）し、アップリンク信号を生成する。Ｎｕｔ，ｍ個の送信機ユニット２５４は、Ｎｕｔ，ｍ個のアンテナ２５２からアクセス・ポイント１１０への送信のためにＮｕｔ，ｍ個のアップリンク信号を提供する。
【００３１】
Ｎｕｐ個のユーザ端末は、アップリンクにおける同時通信のためにスケジュールされうる。これらユーザ端末の各々は、データ・シンボル・ストリームについて空間処理を実行し、送信シンボル・ストリームのセットを、アップリンクで、アクセス・ポイントへ送信する。
【００３２】
アクセス・ポイント１１０では、Ｎａｐ個のアンテナ２２４ａ乃至２２４ａｐが、アップリンクで送信しているＮａｐ個すべてのユーザ端末からアップリンク信号を受信する。各アンテナ２２４は、受信した信号を、それぞれの受信機ユニット（ＲＣＶＲ）２２２に提供する。各受信機ユニット２２２は、送信機ユニット２５４によって実行されるものに対して相補的な処理を実行し、受信したシンボル・ストリームを提供する。ＲＸ空間プロセッサ２４０は、Ｎａｐ個の受信機ユニット２２２から受信したＮａｐ個のシンボル・ストリームについて受信機空間処理を実行し、復元されたＮａｐ個のアップリンク・データ・シンボル・ストリームを提供する。受信機空間処理は、チャネル相関行列変換（ＣＣＭＩ）、最小平均平方誤差（ＭＭＳＥ）、ソフト干渉除去（ＳＩＣ）、またはその他いくつかの技術にしたがって実行される。復元された各アップリンク・データ・シンボル・ストリームは、それぞれのユーザ端末によって送信されたデータ・シンボル・ストリームの推定値｛ｓｕｍ，ｍ｝である。ＲＸデータ・プロセッサ２４２は、復号されたデータを取得するために、そのストリームのために使用されたレートにしたがって、復元された各アップリンク・データ・シンボル・ストリーム｛ｓｕｐ，ｍ｝を処理（例えば、復調、デインタリーブ、および復号）する。各ユーザ端末の復号されたデータは、格納のためにデータ・シンク２４４へ提供され、および／または、さらなる処理のためにコントローラ２３０へ提供されうる。
【００３３】
ダウンリンクでは、アクセス・ポイント１１０において、ＴＸデータ・プロセッサ２１０が、ダウンリンク送信のためにスケジュールされたＮｄｎ個のユーザ端末のためのトラフィック・データをデータ・ソース２０８から受信し、コントローラ２３０から制御データを受信し、恐らくは、スケジューラ２３４からその他のデータを受信する。さまざまなタイプのデータが、異なる伝送チャネルで送信されうる。ＴＸデータ・プロセッサ２１０は、そのユーザ端末のために選択されたレートに基づいて、各ユーザ端末のためのトラフィック・データを処理（例えば、符号化、インタリーブ、および変調）する。ＴＸデータ・プロセッサ２１０は、Ｎｄｎ個のユーザ端末のためにＮｄｎ個のダウンリンク・データ・シンボル・ストリームを提供する。ＴＸ空間プロセッサ２２０は、Ｎｄｎ個のダウンリンク・データ・シンボルについて（例えば、プリコーディングまたはビームフォーミングのような）空間処理を実行し、Ｎａｐ個のアンテナのためにＮａｐこの送信シンボル・ストリームを提供する。各送信機ユニット（ＴＭＴＲ）２２２はそれぞれ、ダウンリンク信号を生成するために、それぞれの送信シンボル・ストリームを受信して処理する。Ｎａｐ個の送信機ユニット２２２は、Ｎａｐ個のアンテナ２２４からユーザ端末への送信のためのダウンリンク信号を提供する。
【００３４】
各ユーザ端末１２０では、Ｎｕｔ，ｍ個のアンテナ２５２が、アクセス・ポイント１１０からＮａｐ個のダウンリンク信号を受信する。各受信機ユニット（ＲＣＶＲ）２５４は、関連するアンテナ２５２からの受信信号を処理し、受信シンボル・ストリームを提供する。ＲＸ空間プロセッサ２６０は、受信ユニット２５４からの受信シンボル・ストリームについて受信機空間処理を実行し、ユーザ端末のために復元されたダウンリンク・データ・シンボル・ストリームを提供する。受信機空間処理は、ＣＣＭＩ、ＭＭＳＥ、またはその他いくつかの技術にしたがって実行される。ＲＸデータ・プロセッサ２７０は、ユーザ端末のために復号されたデータを取得するために、復元されたダウンリンク・データ・シンボル・ストリームを処理（例えば、復調、デインタリーブ、および復号）する。
【００３５】
各ユーザ端末１２０では、チャネル推定器２７８が、ダウンリンク・チャネル応答を推定し、ダウンリンク・チャネル推定値を提供する。これは、チャネル・ゲイン推定値、ＳＮＲ推定値、ノイズ分散等を含みうる。同様に、チャネル推定器２２８は、アップリンク・チャネル応答を推定し、アップリンク・チャネル推定値を提供する。各ユーザ端末のコントローラ２８０は、一般に、ユーザ端末のためのダウンリンク・チャネル応答行列Ｈｄｎ，ｍに基づいて、ユーザ端末のための空間フィルタ行列を導出する。コントローラ２３０は、実効的なアップリンク・チャネル応答行列Ｈｕｐ，ｅｆｆに基づいて、アクセス・ポイントのための空間フィルタ行列を導出する。各ユーザ端末のコントローラ２８０は、アクセス・ポイントへフィードバック情報（例えば、ダウンリンクおよび／またはアップリンクの固有ベクトル、固有値、ＳＮＲ推定値等）を送信しうる。コントローラ２３０，２８０はさらに、アクセス・ポイント１１０およびユーザ端末１２０それぞれにおけるさまざまな処理ユニットの動作を制御する。
【００３６】
図３に、例えばＭＩＭＯシステム１００のような無線通信システム内で適用されうる無線デバイス３０２内で利用されうるさまざまな構成要素を例示する。無線デバイス３０２は、本明細書で説明されるさまざまな方法を実施するために構成され得るデバイスの例である。無線デバイス３０２は、アクセス・ポイント１１０またはユーザ端末１２０でありうる。
【００３７】
無線デバイス３０２は、無線デバイス３０２の動作を制御するプロセッサ３０４を含みうる。このプロセッサ３０４は、中央制御装置（ＣＰＵ）とも称されうる。読取専用メモリ（ＲＯＭ）とランダム・アクセス・メモリ（ＲＡＭ）との両方を含みうるメモリ３０６が、プロセッサ３０４に命令およびデータを提供する。メモリ３０６の一部は、不揮発性ランダム・アクセス・メモリ（ＮＶＲＡＭ）をも含みうる。プロセッサ３０４は、通常、メモリ３０６に格納されたプログラム命令に基づいて、論理演算および算術演算を実行する。本明細書で説明される方法を実施するために、メモリ３０６内の命令が実行可能とされうる。
【００３８】
無線デバイス３０２は、無線デバイス３０２と遠隔位置との間でのデータの送信および受信を可能にする送信機３１０および受信機３１２を含みうるハウジング３０８をも含みうる。送信機３１０および受信機３１２は、トランシーバ３１４に結合されうる。単一あるいは複数の送信アンテナ３１６が、ハウジング３０８に取り付けられ、トランシーバ３１４に電気的に接続されうる。無線デバイス３０２はまた、（図示しない）複数の送信機、複数の受信機、および複数のトランシーバを含みうる。
【００３９】
無線デバイス３０２は、トランシーバ３１４によって受信された信号を検出し、そのレベルを定量化する目的で使用される信号検出器３１８をも含むことができる。信号検出器３１８は、合計エネルギ、シンボル毎のサブキャリア毎のエネルギ、電力スペクトル密度、およびその他の信号のような信号を検出しうる。無線デバイス３０２は、信号を処理する際に使用されるデジタル信号プロセッサ（ＤＳＰ）３２０をも含みうる。
【００４０】
無線デバイス３０２のさまざまな構成要素が、データ・バスに加えて電力バス、制御信号バス、およびステータス信号バスを含むことができるバス・システム３２２によってともに結合されうる。
【００４１】
（グループ定義を備えたプリアンブル構造）  
図１からのＭＩＭＯシステム１００のような次世代ＷＬＡＮでは、ダウンリンク（ＤＬ）マルチ・ユーザ（ＭＵ）ＭＩＭＯ送信は、ネットワーク全体のスループットを増加するための有望な技術を表しうる。ＤＬ  ＭＵ−ＭＩＭＯ送信のほとんどの態様では、アクセス・ポイントから複数のユーザ局（ＳＴＡ）へ送信されたプリアンブルの非ビームフォーム部分が、ＳＴＡへの空間ストリームの割当を示す空間ストリーム割当フィールドを伝送しうる。
【００４２】
この割当情報をＳＴＡにおいて分析するために、各ＳＴＡは、ＭＵ送信を受信するようにスケジュールされた複数のＳＴＡからのセットにおけるＳＴＡ番号またはその順序を通知されうる。これは、グループを形成することを伴いうる。ここでは、プリアンブルにおけるグループ識別子（グループＩＤ）フィールドが、所与のＭＵ送信で送信されるＳＴＡのセット（およびこれらの順序）をＳＴＡへ伝送しうる。送信オーバヘッドにプリアンブル・ビットを追加することによって、所与の瞬間において複数のＳＴＡがＭＵ−ＭＩＭＯ送信においてともにスケジュールされるというフレキシビリティを犠牲にすることなく、グループＩＤにおいて可能な限り少ないビットしか使わないことが望ましい。
【００４３】
図４は、本開示のある態様にしたがう、プリアンブル４００の構造の例を例示する。プリアンブル４００は、例えば、図１に例示された無線ネットワークにおいて、アクセス・ポイント（ＡＰ）１１０からユーザ端末１２０へ送信されうる。
【００４４】
プリアンブル４００は、全レガシー部４０２（すなわち、非ビームフォーム部）と、プリコード８０２．１１ａｃ  ＶＨＴ（超高スループット）部４０４とを備えうる。レガシー部４０２は、レガシー・ショート・トレーニング・フィールド（Ｌ−ＳＴＦ）４０６、レガシー・ロング・トレーニング・フィールド４０８、レガシー信号（Ｌ−ＳＩＧ）フィールド４１０、および、ＶＨＴ信号Ａ（ＶＨＴ−ＳＩＧ−Ａ）フィールド４１２，４１４のための２つのＯＦＤＭシンボルを備えうる。ＶＨＴ−ＳＩＧ−Ａフィールド４１２，４１４は、全方向的に送信され、空間ストリーム数の割当を、ＳＴＡの組み合わせ（セット）に示しうる。
【００４５】
プリコード８０２．１１ａｃ  ＶＨＴ部４０４は、超高スループット・ショート・トレーニング・フィールド（ＶＨＴ−ＳＴＦ）４１８、超高スループット・ロング・トレーニング・フィールド１（ＶＨＴ−ＬＴＦ１）４２０、超高スループット・ロング・トレーニング・フィールド（ＶＨＴ−ＬＴＦ）４２２、超高スループット信号フィールド・タイプＢ（ＶＨＴ−ＳＩＧ−Ｂフィールド）４２４、およびデータ部４２６を備えうる。ＶＨＴ−ＳＩＧ−Ｂフィールドは、１つのＯＦＤＭシンボルを備え、プリコード／ビームフォームされて送信されうる。
【００４６】
ロバストなＭＵ−ＭＩＭＯ受信は、ＡＰが、すべてのＶＨＴ−ＬＴＦ４２２を、サポートされているすべてのＳＴＡへ送信することを含みうる。ＶＨＴ−ＬＴＦ４２２によって、各ＳＴＡは、すべてのＡＰアンテナからＳＴＡのアンテナへのＭＩＭＯチャネルを推定できるようになりうる。ＳＴＡは、他のＳＴＡに対応するＭＵ−ＭＩＭＯストリームから、実効的な干渉ヌルイングを実行するために、この推定されたチャネルを利用しうる。ロバストな干渉除去を実行するために、各ＳＴＡは、そのＳＴＡにどの空間ストリームが属しているかと、他のユーザにどの空間ストリームが属しているのかとを知ることが期待されうる。
【００４７】
前述したように、グループＩＤフィールド４１６は、特定のセットのＳＴＡがＭＵ−ＭＩＭＯ送信の空間ストリームを受信することを、サポートされているすべてのＳＴＡへ伝えるために、プリアンブル４００に含まれうる。ベースラインとして、ＳＴＡのユニークなセットにマップされうるグループが形成された場合、プリアンブル４００内のきわめて多くのグループＩＤが、フレキシビリティを完全にスケジューリングするために含まれうる。
【００４８】
（ＤＬＳのためのグループＩＤ割当の例）  
ＩＥＥＥ８０２．１１ａｃは、８０２．１１規格に対する修正版であり、８０２．１１ネットワークにおけるより高いスループットを可能にする。これは、例えば複数のＳＴＡへの一度の並列送信のようないくつかの対処によって、あるいは、例えば８０ＭＨｚまたは１６０ＭＨｚのようなより広いチャネル帯域幅を用いて実現される。ＩＥＥＥ８０２．１１ａｃはまた、超高スループット（ＶＨＴ）とも称される。前述したように、空間ストリーム位置をＳＴＡへ伝えるために、ＷＬＡＮのためのＭＵ−ＭＩＭＯ送信においてグループが形成されうる。
【００４９】
各ＶＨＴ物理レイヤ・プロトコル・データ・ユニット（ＰＰＤＵ）は、前述したように、６ビットのグループＩＤフィールドを備えるプリアンブル４００から構成される。ＭＵ−ＭＩＭＯ送信のために、ＳＴＡは、グループＩＤをチェックし、空間ストリーム・インデクス（すなわち、割り当てられた空間ストリーム位置）を決定し、自身のデータを取得する。グループＩＤインデクスは、ＡＰによって管理される。ＡＰは、グループＩＤメッセージングを用いて、各ＳＴＡに、可能な２６のグループＩＤ値のうちのいくつかまたはすべてに対応する空間ストリーム・インデクスを通知する。
【００５０】
高度なＶＨＴネットワークでは、ＭＵ−ＭＩＭＯ送信が、ダイレクト・リンク・サービス（ＤＬＳ）プロトコルに基づくメカニズムを用いて、ＡＰに関連付けられたＳＴＡ間で生じうる。しかしながら、このようなＳＴＡとＳＴＡとの間のＭＵ−ＭＩＭＯ送信のために、ＡＰと、ＭＵ−ＭＩＭＯ送信可能ＳＴＡとの間のグループＩＤを管理する方法が必要とされる。
【００５１】
ＤＬ  ＭＵ−ＭＩＭＯ送信を正しく受信するために、受信機は一般に、グループＩＤを、正確な空間ストリーム位置へマップすることができる。空間ストリーム位置は、一般に、チャネル推定を正しく実行するために利用される。
【００５２】
ＤＬＳ送信およびＡＰとＳＴＡとの間のＭＵ−ＭＩＭＯ送信からなるネットワークでは、所与のグループＩＤ（例えばＩｎ）について、ＤＬＳ送信機とＡＰとは、Ｉｎのために、ＳＴＡへ異なる空間ストリーム・インデクスを割り当てないことを保証することが望ましいかもしれない。これがなされると、ＳＴＡは、ＡＰまたはＤＬＳの何れかからグループＩＤ  Ｉｎとともに送信されたデータを復号できない可能性が高くなるだろう。グループＩＤ管理は、例えば、ＤＬＳ送信またはＡＰとＳＴＡとの間のＭＵ−ＭＩＭＯ送信の何れかで使用された場合、グループＩＤは、宛先ＳＴＡにおいて、同じ空間ストリーム・インデクスにマップすることを最も高い可能性で保証しうる。したがって、このようなグループＩＤ管理のための技術および装置が必要とされる。
【００５３】
グループＩＤを管理するための２つの方法が後述される。  
（１）ＡＰがグループＤＩと空間ストリーム・インデクスを割り当てる方法と、  
（２）ＡＰがグループＩＤ空間を分割する方法。
【００５４】
（ＡＰがグループＩＤおよび空間ストリーム・インデクスを割り当てる）  
この方法では、ＤＬＳ  ＭＵ−ＭＩＭＯ送信元（ＤＬ−ＴｘＳＴＡ）が、ＡＰに対して、ＳＴＡのグループのためにグループＩＤおよび空間ストリーム・インデクスを割り当てるように要求しうる。その後、ＡＰは、ＳＴＡのグループのためにグループＩＤおよび空間ストリーム・インデクスを割り当てうる。ＡＰは、例えば２６＝６４の可能なグループＩＤから、連続順またはランダムにグループＩＤを割り当てうる。ＡＰは、例えば、単一のグループＩＤに対応しうる空間ストリーム・インデクス（たとえば、４つの空間ストリーム・インデクス）のセットから、連続順またはランダムに空間ストリーム・インデクスを割り当てうる。ＳＴＡは、新たなグループＩＤ割当と空間ストリーム・インデクスとを通知されうる。
【００５５】
ＳＴＡに通知するために、２つの異なる方法が使用されうる。第１の方法では、ＡＰが、新たなグループＩＤに関するグループにおける各ＳＴＡ（すなわち、ＤＬＳ−ＴｘＳＴＡ以外の各ＳＴＡ）へ、グループＩＤ管理メッセージを送信しうる。これは、グループＩＤと空間ストリーム情報との両方を含みうる。ＡＰが、グループＩＤ管理メッセージに関するアクノレッジメント（ＡＣＫ）を各ＳＴＡから受信すると、ＡＰは、割り当てられたグループＩＤと空間ストリーム・インデクス情報とをＤＬＳ−ＴｘＳＴＡへ送信しうる。ＳＴＡに通知する第２の方法では、ＡＰが、割り当てられたグループＩＤと空間ストリーム・インデクス情報とをＤＬＳ−ＴｘＳＴＡへ送信しうる。その後、ＤＬＳ−ＴｘＳＴＡは、グループＩＤ管理メッセージを、グループＩＤの空間ストリーム割当とともにＳＴＡのおのおのへ送信しうる。
【００５６】
ある態様の場合、前述した第２の方法にしたがって、代替的なＡＰ動作が存在しうる。この代替的な第２の方法では、ＡＰは、ＤＬＳ−ＴｘＳＴＡは、ＭＵ−ＭＩＭＯ可能であるか、および／または、２つのデバイス間の機能交換によってダイレクト・リンク・サービス（ＤＬＳ）送信可能である、と判定しうる。言い換えれば、機能交換中にＡＰとＤＬＳ−ＴｘＳＴＡとの間で送信されるメッセージは、これら機能のうちの１または複数を、さまざまな適切な手法のうちの何れかで示しうる。ＡＰは、ＤＬＳ−ＴｘＳＴＡとその他のＳＴＡとの間のＤＬＳセットアップをモニタしうる。ＡＰは、ある数のＳＴＡがＤＬＳ−ＴｘＳＴＡとＤＬＳモードで動作するように構成されていると判定するや否や、ＳＴＡのＤＬＳ接続とのためのグループＩＤ割当を、ＤＬＳ−ＴｘＳＴＡへ送信しうる。
【００５７】
（ＡＰがグループＩＤ空間を分割する）  
この方法では、ＤＬＳ−ＴｘＳＴＡは、ＤＬＳ送信のために割り当てられるべきグループＩＤを求める要求をしうる。ＡＰは、現在アクティブではないグループＩＤを選択し、ＤＬ−ＴｘＳＴＡへ返す（すなわち、ＳＴＡは、まだグループＩＤに割り当てられていない）。非アクティブなグループＩＤとアクティブなグループＩＤとを区別し、ＤＬＳ−ＴｘＳＴＡのために非アクティブなグループＩＤを選択することによって、ＡＰは、グループＩＤ空間を効率的に分割する。その後、ＤＬＳ−ＴｘＳＴＡは、ＡＰから受信したグループＩＤに対応する空間ストリーム・インデクスを決定し、ＤＬＳ−ＴｘＳＴＡが要求したグループＩＤに対応するＳＴＡのおのおのへグループＩＤ管理メッセージを送信しうる。ＤＬＳ−ＴｘＳＴＡは、例えば、単一のグループＩＤに対応しうる空間ストリーム・インデクスのセット（例えば、４つの空間ストリーム・インデクス）から、連続順またはランダムに、空間ストリーム・インデクスを割り当てうる。
【００５８】
（ＤＬＳのために割り当てられたグループＩＤの復元／再割当）  
ＤＬＳ送信のために割り当てられたグループＩＤは、例えば、（ａ）グループＩＤに関連付けられたタイム・アウト、（ｂ）ＤＬＳ−ＴｘＳＴＡがネットワークを出ること、または（ｃ）ＡＰによって見られているＤＬＳ−ＴｘＳＴＡからのＤＬＳ接続ティア・ダウン、によって、復元または再割当されうる。ＡＰがグループＩＤと空間ストリーム・インデクスとを割り当てるある態様の場合、ＡＰは、グループＩＤがもはやＳＴＡのために有効ではないことをＳＴＡに通知するグループＩＤ管理メッセージを、ＤＬＳグループＩＤに対応するＳＴＡのおのおのへ送信しうる。ＡＰがグループＩＤ空間を分割するその他の態様の場合、ＡＰは、グループＩＤに対応する正確な空間ストリーム・インデクスとＳＴＡに関する情報をもっていない場合がありうる。しかしながら、ＡＰは、ＤＬＳ−ＴｘＳＴＡとのＤＬＳリンクを有するすべてのＳＴＡに関する情報を有する。その後、ＡＰは、ＤＬＳ−ＴｘＳＴＡとのＤＬＳリンクを有するすべてのＳＴＡへ、グループＩＤ削除設定を有する管理メッセージを送信しうる。
【００５９】
図５は、例えば（マルチ・ユーザ（ＭＵ）送信を受信することが可能なＳＴＡのグループを識別するグループ識別子に対応する）空間ストリーム割当が、ＡＰとＤＬＳ−ＴｘＳＴＡとの間で一致することを保証するために、ダイレクト・リンク・サービス（ＤＬＳ）送信機（ＤＬＳ−ＴｘＳＴＡ）の観点から実行されうる動作５００の例を例示する。動作５００は、５０２において、第１の装置（例えば、ＤＬＳ−ＴｘＳＴＡ）から第２の装置（例えば、ＡＰ１１０）へ、ＭＵ送信を受信する装置のグループ（例えば、ＳＴＡのグループ）を識別するグループＩＤの割当を要求するメッセージを送信することによって始まりうる。５０４では、第１の装置が、割り当てられたグループＩＤを示すインジケーションを、第２の装置から受信し、これによって、装置のグループの（割り当てられたグループＩＤに対応する）空間ストリーム割当が、第１の装置と第２の装置との間で同じになる。ある態様の場合、５０４において受信することは、装置のグループのための空間ストリーム割当を示すインジケーションを受信することを含みうる。ある態様によれば、割り当てられたグループＩＤを示すインジケーションが、５０４において第２の装置から受信された場合、装置のグループにおける装置は、グループＩＤに割り当てられない場合がありうる。ある態様の場合、動作５００はさらに、割り当てられたグループＩＤおよび空間ストリーム割当に基づいて、第１の装置から、装置のグループのうちの少なくとも１つへＭＵ送信を送信することを含みうる。
【００６０】
ある態様の場合、第１の装置は、装置のグループのうちの少なくとも１つのためのグループＩＤおよび／または空間ストリーム割当を示す別のメッセージを、装置のグループのうちの少なくとも１つへ送信しうる。ある態様の場合、第１の装置は、割り当てられたグループＩＤに対応する空間ストリーム割当を決定しうる。その後、第１の装置は、装置のグループのうちの少なくとも１つのための空間ストリーム割当およびグループＩＤを示す別のメッセージを、装置のグループのうちの少なくとも１つへ送信しうる。
【００６１】
ある態様によれば、ＭＵ送信は、第１の装置と装置のグループとの間のＤＬＳ送信を含みうる。ある態様の場合、ＭＵ送信は、ＭＵ−ＭＩＭＯ送信を含みうる。
【００６２】
図６は、例えば（グループ識別子に対応する）空間ストリーム割当が、ＡＰとＤＬＳ−ＴｘＳＴＡとの間で一致することを保証するために、ＡＰの観点から実行されうる動作６００の例を例示する。６０２では、第１の装置（例えば、ＡＰ１１０）が、ＭＵ送信を受信する装置のグループを識別するグループＩＤの割当を要求するメッセージを第２の装置（例えば、ＤＬＳ−ＴｘＳＴＡ）から受信しうる。ある態様の場合、第１の装置は、６０４において、装置のグループへグループＩＤを割り当てうる。６０６では、第１の装置は、この要求メッセージに応じて、割り当てられたグループＩＤを示すインジケーションを、第２の装置へ送信し、これによって、（割り当てられたグループＩＤに対応する）装置のグループの空間ストリーム割当が、第１の装置と第２の装置との間で同じになる。ある態様によれば、装置のグループにおける装置は、６０６において、割り当てられたグループＩＤを示すインジケーションが第２の装置へ送信された場合、グループＩＤへまだ割り当てられない場合がありうる。
【００６３】
ある態様によれば、６０２で受信されたメッセージはまた、装置のグループのための空間ストリーム割当の割当を要求するためにも使用され、例えば、第１の装置は、６０４において、空間ストリーム割当をも行いうる。第１の装置はその後、装置のグループのための空間ストリーム割当を示すインジケーションを送信しうる。ある態様の場合、第１の装置は、装置のグループのうちの少なくとも１つのための空間ストリーム割当およびグループＩＤを示す別のメッセージを、装置のグループのうちの少なくとも１つへ送信しうる。その後、第１の装置は、別のメッセージを受信した、装置のグループのうちの少なくとも１つから、アクノレッジメント（ＡＣＫ）を受信しうる。
【００６４】
ある態様の場合、ＭＵ送信は、装置のグループと第２の装置との間のＤＬＳ送信を備えうる。この場合、第１の装置は、第２の装置が、第１の装置と第２の装置との間での機能交換によって、ＤＬＳ送信のために構成されていることを判定しうる。第１の装置は、その後、多くの装置が第２の装置とのＤＬＳ接続を有していると判定し、空間ストリーム割当を多くの装置へ送信しうる。ある態様の場合、第１の装置は、装置のグループへ割り当てられたグループＩＤを示す別のメッセージを、第２の装置から受信しうる。
【００６５】
ある態様によれば、ＭＵ送信は、第２の装置と装置のグループとの間のＤＬＳ送信を含みうる。ある態様の場合、ＭＵ送信は、ＭＵ−ＭＩＭＯ送信を含みうる。
【００６６】
図７は、本開示のある態様にしたがって、（ＳＴＡのグループを識別するグループＩＤに対応する）空間ストリーム割当がＡＰ１１０とＤＬＳ−ＴｘＳＴＡ７０２との間で一致するように、ＭＵ送信を受信することが可能なＳＴＡのグループ（ＳＴＡ１  ７０４１とＳＴＡ２  ７０４２）と、ＡＰ１１０と、ＤＬＳ−ＴｘＳＴＡ７０２との間の通信を例示するコール／データ・フローである。このコール／データ・フローは、図５および図６の動作５００、６００に関して前述されたある態様に対応する。ＤＬＳ−ＴｘＳＴＡ７０２は、例えば、図１におけるユーザ端末１２０ｅのようなユーザ端末でありうる。ＳＴＡ１  ７０４１およびＳＴＡ２  ７０４２はまた、例えば図１におけるユーザ端末１２０ｇおよびユーザ端末１２０ｉのように、ＤＬＳ−ＴｘＳＴＡ７０２からのピア・トゥ・ピア通信を受信することが可能なユーザ端末でありうる。
【００６７】
７０６では、ＤＬＳ−ＴｘＳＴＡ７０２は、ＳＴＡ（例えばＳＴＡ１およびＳＴＡ２）のグループを識別するグループＩＤ割当を要求するメッセージを送信しうる。ある態様の場合、７０６において送信されたメッセージはまた、空間ストリーム（ＳＳ）割当を要求しうる。ＡＰ１１０は、７０８において、グループＩＤを、ＳＴＡのグループへ割り当てうる。ある態様の場合、ＡＰ１１０は、７０８においてさらに、空間ストリーム割当を決定しうる。ＡＰ１１０は、７１０において、割り当てられたグループＩＤ（および空間ストリーム割当）を示すメッセージを送信しうる。
【００６８】
７１２では、ＤＬＳ−ＴｘＳＴＡ７０２が、７１０において受信されたメッセージに基づいて、グループＩＤに対応する空間ストリーム割当を決定しうる。その後、ＤＬＳ−ＴｘＳＴＡ７０２は、割り当てられたグループＩＤと空間ストリーム割当とを、ＳＴＡのグループのうちの個々のＳＴＡに通知しうる。これを達成するために、ＤＬＳ−ＴｘＳＴＡ７０２は、７１４および７１６において、グループ内のＳＴＡの各々へ、個別のメッセージを送信しうる。ここで、各メッセージは、割り当てられたグループＩＤと空間ストリーム割当とを、ＳＴＡのうちの１つへ示す。ある態様の場合、７１４および７１６において送信されるメッセージは、任意の順序で、あるいは、同時に送信されうる。ＳＴＡ１およびＳＴＡ２が、グループＩＤおよび空間ストリーム割当を通知された後、ＤＬＳ−ＴｘＳＴＡ７０２は、７１８において、ＳＴＡのグループにＭＵ送信を送りうる。
【００６９】
前述された方法のさまざまな動作は、対応する機能を実行することが可能な任意の適切な手段によって実行されうる。これら手段は、限定される訳ではないが、回路、特定用途向け集積回路（ＡＳＩＣ）、またはプロセッサを含むさまざまなハードウェア構成要素および／またはソフトウェア構成要素および／またはモジュールを含みうる。一般に、図面に例示された動作が存在する場合、これら動作は、同じ符番を付された対応するmeans-plus-function構成要素を有しうる。例えば、図５に例示される動作５００は、図５Ａに例示される手段５００Ａに対応する。
【００７０】
例えば、送信する手段は、例えば、図２において例示されたアクセス・ポイント１１０の送信機ユニット２２２、図２において図示されたユーザ端末１２０の送信機ユニット２５４、あるいは図３に示された無線デバイス３０２の送信機３１０のような送信機を備えうる。受信する手段は、例えば、図２において例示されたアクセス・ポイント１１０の受信機ユニット２２２、図２において図示されたユーザ端末１２０の受信機ユニット２５４、あるいは図３に示された無線デバイス３０２の受信機３１０のような受信機を備えうる。処理する手段、割り当てる手段、または決定する手段は、例えば図２に例示されるようなユーザ端末１２０のＲＸデータ・プロセッサ２７０および／またはコントローラ２８０、または、アクセス・ポイント１１０のＲＸデータ・プロセッサ２４２および／またはコントローラ２３０のような１または複数のプロセッサを含みうる処理システムを備えうる。
【００７１】
本明細書で使用される場合、用語「決定すること（determining）」は、さまざまな動作を含む。例えば、「決定すること」は、計算、コンピューティング、処理、導出、調査、ルックアップ（例えば、テーブル、データベース、または他のデータ構造内のルックアップ）、確認等を行うことを含みうる。また、「決定すること」は、受信（例えば、情報の受信）、アクセス（例えば、メモリ内のデータへのアクセス）等を行うことを含みうる。また、「決定すること」は、解決、選択、選定、確立等を含むことができる。
【００７２】
本明細書に記載されるように、項目のリストのうちの「少なくとも１つ」と称する文言は、単数を含むこれら項目のうちの任意の組み合わせを称する。例として、「ａ、ｂ、またはｃの少なくとも１つ」は、ａ、ｂ、ｃ、ａ−ｂ、ａ−ｃ、ｂ−ｃ、およびａ−ｂ−ｃをカバーするように意図される。
【００７３】
本開示に関連して記載されたさまざまな例示的な論理ブロック、モジュール、および回路は、本明細書に記載された機能を実行するように構成された汎用プロセッサ、デジタル信号プロセッサ（ＤＳＰ）、特定用途向け集積回路（ＡＳＩＣ）、フィールド・プログラマブル・ゲート・アレイ（ＦＰＧＡ）またはその他のプログラマブル論理デバイス（ＰＬＤ）、ディスクリート・ゲートまたはトランジスタ・ロジック、ディスクリート・ハードウェア構成要素、または、これら任意の組み合わせで実装または実行されうる。汎用プロセッサは、マイクロ・プロセッサでありうるが、代替案では、プロセッサは、任意の市販のプロセッサ、コントローラ、マイクロコントローラ、またはステート・マシンでありうる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【００７４】
本開示に関連して説明された方法またはアルゴリズムのステップを、ハードウェアで直接的に、プロセッサによって実行されるソフトウェア・モジュールによって、またはこの２つの組合せによって実施することができる。ソフトウェア・モジュールは、当該技術分野において周知のすべての形式の記憶媒体に常駐しうる。使用されうる記憶媒体のいくつかの例は、ランダム・アクセス・メモリ（ＲＡＭ）、読取専用メモリ（ＲＯＭ）、フラッシュ・メモリ、ＥＰＲＯＭメモリ、ＥＥＰＲＯＭメモリ、レジスタ、ハードディスク、リムーバブル・ディスク、ＣＤ−ＲＯＭなどを含む。ソフトウェア・モジュールは、単一の命令または複数の命令を備えることができ、複数の異なるコード・セグメント上で、異なるプログラムの間で、および複数の記憶媒体にわたって分散されうる。記憶媒体は、プロセッサが記憶媒体から情報を読み取り、記憶媒体に情報を書き込めるように、プロセッサに結合されうる。あるいは、この記憶媒体は、プロセッサに統合されうる。
【００７５】
本明細書で開示された方法は、説明された方法を達成するための１または複数のステップまたは動作を備える。方法ステップおよび／または動作は、特許請求の範囲のスコープから逸脱せずに相互に置換されうる。言い換えると、ステップまたは動作の特定の順序が指定されていない限り、特定のステップおよび／または動作の順序および／または使用は、特許請求の範囲のスコープから逸脱せずに変更されうる。
【００７６】
説明された機能は、ハードウェア、ソフトウェア、ファームウェア、またはその任意の組合せで実現されうる。ハードウェアで実現される場合、ハードウェア構成の例は、無線ノード内の処理システムを備えうる。処理システムは、バス・アーキテクチャを用いて実現されうる。バスは、全体的な設計制約および処理システムの特定の用途に依存して、任意の数の相互接続バスおよびブリッジを含みうる。バスは、プロセッサ、機械読取可能な媒体、およびバス・インタフェースを含む回路をともにリンクしうる。バス・インタフェースは、とりわけ、ネットワーク・アダプタを、バスを介して、処理システムへ接続するために使用されうる。ネットワーク・アダプタは、物理レイヤの信号処理機能を実現するために使用されうる。ユーザ端末１２０（図１を参照）の場合には、ユーザ・インタフェース（例えば、キーパッド、ディスプレイ、マウス、ジョイスティック等）も、バスに接続されうる。バスはさらに、例えば、タイミング・ソース、周辺機器、電圧制御装置、および電力管理回路等のようなその他さまざまな回路をリンクしうる。これらは、当該技術分野で良く知られているので、さらなる説明はしない。
【００７７】
プロセッサは、バスの管理、および、機械読取可能な媒体に格納されたソフトウェアの実行を含む一般的な処理を担当する。プロセッサは、１または複数の汎用プロセッサおよび／または特別目的プロセッサを用いて実現されうる。例は、マイクロ・プロセッサ、マイクロコントローラ、ＤＳＰプロセッサ、および、ソフトウェアを実行することができるその他の回路、を含みうる。ソフトウェアは、ソフトウェア、ファームウェア、ミドルウェア、マクロコード、ハードウェア記述言語、あるいはその他で称されようとも、命令群、データ、あるいは、これらの任意の組み合わせを意味するように広く解釈されるものとする。機械読取可能な媒体は、例によれば、ＲＡＭ（ランダム・アクセス・メモリ）、フラッシュ・メモリ、ＲＯＭ（リード・オンリー・メモリ）、ＰＲＯＭ（プログラマブル・リード・オンリー・メモリ）、ＥＰＲＯＭ（消去可能プログラマブル・リード・オンリー・メモリ）、ＥＥＰＲＯＭ（電気的消去可能プログラマブル・リード・オンリー・メモリ）、レジスタ、磁気ディスク、光ディスク、ハード・ドライブ、またはその他任意の適切な記憶媒体、あるいはこれら任意の組み合わせを含みうる。機械読取可能な媒体は、コンピュータ・プログラム製品内に組み込まれうる。コンピュータ・プログラム製品は、パッケージング・マテリアルを備えうる。
【００７８】
ハードウェアによる実施では、機械読取可能な媒体は、プロセッサとは別の処理システムの一部でありうる。しかしながら、当業者であれば容易に理解するであろうが、機械読取可能な媒体またはその任意の部分は、処理システムの外部にありうる。例によれば、機械読取可能な媒体は、伝送路、データによって変調されたキャリア波、および／または、無線ノードから分離したコンピュータ製品を含みうる。これらすべては、バス・インタフェースを介してプロセッサによってアクセスされうる。あるいは、または、それに加えて、機械読取可能な媒体またはこれら任意の部分は、キャッシュおよび／または汎用レジスタ・ファイルによくあるように、プロセッサへ統合されうる。
【００７９】
処理システムは、外部バス・アーキテクチャを介して他の支援回路とともにリンクされた、プロセッサ機能を提供する１または複数のマイクロ・プロセッサと、機械読取可能な媒体のうちの少なくとも一部を提供する外部メモリと、を備えた汎用処理システムとして構成されうる。あるいは、処理システムは、ＡＳＩＣ（特定用途向け集積回路）を用いて実現されうるか、本開示にわたって記載されたさまざまな機能を実行しうる回路の任意の組み合わせを用いて実現されうる。ＡＳＩＣは、プロセッサ、バス・インタフェース、（アクセス端末の場合）ユーザ・インタフェース、支援回路、および単一チップに組み込まれた機械読取可能な媒体のうちの少なくとも一部を備えているか、あるいは、１または複数のＦＰＧＡ（フィールド・プログラマブル・ゲート・アレイ）、ＰＬＤ（プログラマブル・ロジック・デバイス）、コントローラ、ステート・マシン、ゲート・ロジック、ディスクリート・ハードウェア構成要素またはその他任意の適切な回路を備えている。当業者であれば、システム全体に課せられる全体的な設計制約および特定のアプリケーションに依存して、処理システムのために、記載された機能をどうやって最良に実施するかを認識するだろう。
【００８０】
機械読取可能な媒体は、多くのソフトウェア・モジュールを備えうる。ソフトウェア・モジュールは、プロセッサによって実行された場合、処理システムに対して、さまざまな機能を実行させるための命令群を含む。ソフトウェア・モジュールは、送信モジュールおよび受信モジュールを含みうる。ソフトウェア・モジュールはそれぞれ、単一のストレージ・デバイス内に存在するか、または、複数のストレージ・デバイスにわたって分散されうる。例によれば、ソフトウェア・モジュールは、トリガ・イベントが生じると、ハード・ドライブからＲＡＭへロードされうる。ソフトウェア・モジュールの実行中、プロセッサは、アクセス速度を増加させるために、命令のうちのいくつかをキャッシュにロードしうる。その後、プロセッサによる実行のために、１または複数のキャッシュ・ラインが、汎用レジスタ・ファイルへロードされうる。以下に示すソフトウェア・モジュールの機能を参照する場合、このような機能は、このソフトウェア・モジュールからの命令群を実行するときに、プロセッサによって実施されることが理解されるだろう。
【００８１】
ソフトウェアで実施される場合、これら機能は、コンピュータ読取可能な媒体上に格納されるか、あるいは、コンピュータ読取可能な媒体上の１または複数の命令群またはコードとして送信されうる。コンピュータ読取可能な媒体は、コンピュータ・プログラムを１つの場所から別の場所へ転送することを容易にする任意の媒体を含む通信媒体とコンピュータ記憶媒体との両方を含んでいる。記憶媒体は、コンピュータによってアクセスされる利用可能な任意の媒体でありうる。例として、限定することなく、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。さらに、いかなる接続も、コンピュータ読取可能な媒体として適切に称される。同軸ケーブル、光ファイバ・ケーブル、ツイスト・ペア、デジタル加入者線（ＤＳＬ）、あるいは、例えば赤外線（ＩＲ）、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるようなディスク（ｄｉｓｋおよびｄｉｓｃ）は、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびＢｌｕ−ｒａｙ（登録商標）ディスク（ｄｉｓｃ）を含んでいる。ここで、ｄｉｓｋは通常、データを磁気的に再生する一方、ｄｉｓｃは、レーザを用いてデータを光学的に再生する。したがって、いくつかの態様では、コンピュータ読取可能な媒体は、非一時的なコンピュータ読取可能な媒体（例えば、具体的な媒体）を備えうる。さらに、別の態様の場合、コンピュータ読取可能な媒体は、一時的なコンピュータ読取可能な媒体（例えば、信号）を備えうる。前述した組み合わせもまた、コンピュータ読取可能な媒体の範囲内に含まれるべきである。
【００８２】
したがって、ある態様は、本明細書に記載された動作を実行するためのコンピュータ・プログラム製品を備えうる。例えば、このようなコンピュータ・プログラム製品は、格納された（および／またはエンコードされた）命令群を有するコンピュータ読取可能な媒体を備える。これら命令群は、本明細書において記載された動作を実行するために、１または複数のプロセッサによって実行されることが可能である。ある態様の場合、コンピュータ・プログラム製品は、パッケージング・マテリアルを含みうる。
【００８３】
さらに、本明細書で説明された方法および技法を実行するためのモジュールおよび／または他の適切な手段を、適宜、ユーザ端末および／または基地局によってダウンロードし、かつ／または他の形式で入手することができることを了解されたい。例えば、このようなデバイスは、本明細書で説明した方法を実行するための手段の転送を容易にするためにサーバに結合されうる。代替案では、本明細書に記載されたさまざまな方法は、記憶手段（例えば、ＲＡＭ、ＲＯＭ、コンパクト・ディスク（ＣＤ）またはフロッピー・ディスクなどの物理記憶媒体など）を介して提供され、ユーザ端末および／または基地局は、記憶手段をデバイスに結合するか提供するときにさまざまな方法を取得しうる。さらに、本明細書で説明された方法および技法をデバイスに提供するために、その他任意の適切な技法が利用されうる。
【００８４】
特許請求の範囲は、前述した正確な構成および構成要素に限定されないことを理解されたい。さまざまな修正、変更、および変形が、特許請求の範囲の範囲から逸脱せずに、前述した方法および装置の構成、動作、および詳細において実施されうる。
以下に、出願当初の特許請求の範囲に記載された発明を付記する。
［発明１］
無線通信のための第１の装置であって、
マルチ・ユーザ（ＭＵ）送信を受信する装置のグループを識別するグループ識別子（ＩＤ）の割当を要求するメッセージを、第２の装置へ送信するように構成された送信機と、
割り当てられたグループＩＤに対応する、前記装置のグループの空間ストリーム割当が、前記第１の装置と前記第２の装置とで同じになるように、前記割り当てられたグループＩＤを示すインジケーションを、前記第２の装置から受信するように構成された受信機と、
を備える第１の装置。
［発明２］
前記送信機は、前記割り当てられたグループＩＤおよび前記空間ストリーム割当に基づいて、前記第１の装置から、前記装置のグループのうちの少なくとも１つへＭＵ送信を送信するように構成された、発明１に記載の第１の装置。
［発明３］
前記メッセージはまた、前記装置のグループのための空間ストリーム割当の割当を要求するためのものであり、
前記受信機はさらに、前記装置のグループのための空間ストリーム割当を示すインジケーションを受信するように構成された、発明１に記載の第１の装置。
［発明４］
前記送信機はさらに、前記装置のグループのうちの少なくとも１つのための空間ストリーム割当および前記グループＩＤを示す別のメッセージを、前記装置のグループのうちの少なくとも１つへ送信するように構成された、発明１に記載の第１の装置。
［発明５］
前記割り当てられたグループＩＤに対応する空間ストリーム割当を決定するように構成された処理システムをさらに備え、
前記送信機はさらに、前記装置のグループのうちの少なくとも１つのための空間ストリーム割当および前記グループＩＤを示す別のメッセージを、前記装置のグループのうちの少なくとも１つへ送信するように構成された、発明１に記載の第１の装置。
［発明６］
前記ＭＵ送信は、前記第１の装置と前記装置のグループとの間のダイレクト・リンク・サービス（ＤＬＳ）送信、またはマルチ・ユーザ複数入力複数出力（ＭＵ−ＭＩＭＯ）送信のうちの少なくとも１つを備える、発明１に記載の第１の装置。
［発明７］
無線通信のための方法であって、
マルチ・ユーザ（ＭＵ）送信を受信する装置のグループを識別するグループ識別子（ＩＤ）の割当を要求するメッセージを第１の装置から第２の装置へ送信することと、
割り当てられたグループＩＤに対応する、前記装置のグループの空間ストリーム割当が、前記第１の装置と前記第２の装置とで同じになるように、前記割り当てられたグループＩＤを示すインジケーションを、前記第２の装置から受信することと、
を備える方法。
［発明８］
前記割り当てられたグループＩＤおよび前記空間ストリーム割当に基づいて、前記第１の装置から、前記装置のグループのうちの少なくとも１つへＭＵ送信を送信すること、をさらに備える発明７に記載の方法。
［発明９］
前記装置のグループのための空間ストリーム割当を示すインジケーションを受信することをさらに備え、
前記メッセージはまた、前記装置のグループのための空間ストリーム割当の割当を要求するためのものである、発明７に記載の方法。
［発明１０］
前記装置のグループのうちの少なくとも１つのための空間ストリーム割当および前記グループＩＤを示す別のメッセージを、前記装置のグループのうちの少なくとも１つへ送信すること、をさらに備える発明７に記載の方法。
［発明１１］
前記割り当てられたグループＩＤに対応する空間ストリーム割当を決定することと、
前記装置のグループのうちの少なくとも１つのための空間ストリーム割当および前記グループＩＤを示す別のメッセージを、前記装置のグループのうちの少なくとも１つへ送信することと、
をさらに備える発明７に記載の方法。
［発明１２］
前記ＭＵ送信は、前記第１の装置と前記装置のグループとの間のダイレクト・リンク・サービス（ＤＬＳ）送信、またはマルチ・ユーザ複数入力複数出力（ＭＵ−ＭＩＭＯ）送信のうちの少なくとも１つを備える、発明７に記載の方法。
［発明１３］
無線通信のための第１の装置であって、
マルチ・ユーザ（ＭＵ）送信を受信する装置のグループを識別するグループ識別子（ＩＤ）の割当を要求するメッセージを第２の装置へ送信する手段と、
割り当てられたグループＩＤに対応する、前記装置のグループの空間ストリーム割当が、前記第１の装置と前記第２の装置とで同じになるように、前記割り当てられたグループＩＤを示すインジケーションを、前記第２の装置から受信する手段と、
を備える第１の装置。
［発明１４］
前記送信する手段はさらに、前記割り当てられたグループＩＤおよび前記空間ストリーム割当に基づいて、前記装置のグループのうちの少なくとも１つへＭＵ送信を送信するように構成された、発明１３に記載の第１の装置。
［発明１５］
前記メッセージはまた、前記装置のグループのための空間ストリーム割当の割当を要求するためのものであり、
前記受信する手段はさらに、前記装置のグループのための空間ストリーム割当を示すインジケーションを受信するように構成された、発明１３に記載の第１の装置。
［発明１６］
前記送信する手段はさらに、前記装置のグループのうちの少なくとも１つのための空間ストリーム割当および前記グループＩＤを示す別のメッセージを、前記装置のグループのうちの少なくとも１つへ送信するように構成された、発明１３に記載の第１の装置。
［発明１７］
前記割り当てられたグループＩＤに対応する空間ストリーム割当を決定する手段をさらに備え、
前記送信する手段はさらに、前記装置のグループのうちの少なくとも１つのための空間ストリーム割当および前記グループＩＤを示す別のメッセージを、前記装置のグループのうちの少なくとも１つへ送信するように構成された、発明１３に記載の第１の装置。
［発明１８］
前記ＭＵ送信は、前記第１の装置と前記装置のグループとの間のダイレクト・リンク・サービス（ＤＬＳ）送信、またはマルチ・ユーザ複数入力複数出力（ＭＵ−ＭＩＭＯ）送信のうちの少なくとも１つを備える、発明１３に記載の第１の装置。
［発明１９］
無線通信のためのコンピュータ・プログラム製品であって、
マルチ・ユーザ（ＭＵ）送信を受信する装置のグループを識別するグループ識別子（ＩＤ）の割当を要求するメッセージを第１の装置から第２の装置へ送信し、
割り当てられたグループＩＤに対応する、前記装置のグループの空間ストリーム割当が、第前記１の装置と前記第２の装置とで同じになるように、前記割り当てられたグループＩＤを示すインジケーションを、前記第２の装置から受信する、
ように実行可能な命令群を備えるコンピュータ読取可能な媒体を備える、コンピュータ・プログラム製品。
［発明２０］
無線ノードであって、
少なくとも１つのアンテナと、
マルチ・ユーザ（ＭＵ）送信を受信する装置のグループを識別するグループ識別子（ＩＤ）の割当を要求するメッセージを、装置へ送信するように構成された送信機と、
割り当てられたグループＩＤに対応する、前記装置のグループの空間ストリーム割当が、前記無線ノードと前記装置とで同じになるように、前記割り当てられたグループＩＤを示すインジケーションを前記装置から受信するように構成された受信機と、
を備える無線ノード。
［発明２１］
無線通信のための第１の装置であって、
マルチ・ユーザ（ＭＵ）送信を受信する装置のグループを識別するグループ識別子（ＩＤ）の割当を要求するメッセージを第２の装置から受信するように構成された受信機と、
割り当てられたグループＩＤに対応する、前記装置のグループの空間ストリーム割当が、前記第１の装置と前記第２の装置とで同じになるように、前記割り当てられたグループＩＤを示すインジケーションを、前記第２の装置へ送信するように構成された送信機と、
を備える第１の装置。
［発明２２］
前記装置のグループに前記グループＩＤを割り当てるように構成された処理システム、をさらに備える発明２１に記載の第１の装置。
［発明２３］
前記メッセージはまた、前記装置のグループのための空間ストリーム割当の割当を要求するためのものであり、
前記処理システムは、前記グループＩＤおよび前記空間ストリーム割当を割り当てるように構成され、
前記送信機はさらに、前記装置のグループのための空間ストリーム割当を示すインジケーションを送信するように構成された、発明２２に記載の第１の装置。
［発明２４］
前記送信機は、前記装置のグループのうちの少なくとも１つのための空間ストリーム割当および前記グループＩＤを示す別のメッセージを、前記装置のグループのうちの少なくとも１つへ送信するように構成された、発明２３に記載の第１の装置。
［発明２５］
前記受信機はさらに、前記別のメッセージを受信した、前記装置のグループのうちの少なくとも１つから、アクノレッジメント（ＡＣＫ）を受信するように構成された、発明２４に記載の第１の装置。
［発明２６］
処理システムをさらに備え、
前記ＭＵ送信は、前記第２の装置と前記装置のグループとの間のダイレクト・リンク・サービス（ＤＬＳ）送信を備え、
前記処理システムは、
前記第２の装置が、前記第１の装置と前記第２の装置との間での機能交換によって、前記ＤＬＳ送信のために構成されていると判定し、多くの装置が前記装置とのＤＬＳ接続を有していると判定するように構成され、
前記送信機は、前記空間ストリーム割当を、前記多くの装置へ送信するように構成された、発明２１に記載の第１の装置。
［発明２７］
前記ＭＵ送信は、前記第２の装置と前記装置のグループとの間のダイレクト・リンク・サービス（ＤＬＳ）送信、またはマルチ・ユーザ複数入力複数出力（ＭＵ−ＭＩＭＯ）送信のうちの少なくとも１つを備える、発明２１に記載の第１の装置。
［発明２８］
無線通信のための方法であって、
マルチ・ユーザ（ＭＵ）送信を受信する装置のグループを識別するグループ識別子（ＩＤ）の割当を要求するメッセージを、第１の装置において、第２の装置から受信することと、
割り当てられたグループＩＤに対応する、装置のグループの空間ストリーム割当が、前記第１の装置と前記第２の装置とで同じになるように、前記割り当てられたグループＩＤを示すインジケーションを、前記第２の装置へ送信することと、
を備える方法。
［発明２９］
前記装置のグループに前記グループＩＤを割り当てること、をさらに備える発明２８に記載の方法。
［発明３０］
前記空間ストリーム割当を割り当てることと、ここで、前記メッセージはまた、前記装置のグループのための空間ストリーム割当の割当を要求するためのものである、
前記装置のグループのための空間ストリーム割当を示すインジケーションを送信することと、
をさらに備える発明２９に記載の方法。
［発明３１］
前記装置のグループのうちの少なくとも１つのための空間ストリーム割当および前記グループＩＤを示す別のメッセージを、前記装置のグループのうちの少なくとも１つへ送信すること、をさらに備える発明３０に記載の方法。
［発明３２］
前記別のメッセージを受信した、前記装置のグループのうちの少なくとも１つから、アクノレッジメント（ＡＣＫ）を受信すること、をさらに備える発明３１に記載の方法。
［発明３３］
前記第２の装置が、前記第１の装置と前記第２の装置との間での機能交換によって、前記ＤＬＳ送信のために構成されていると判定することと、ここで、前記ＭＵ装置は、前記第２の装置と前記装置のグループとの間のダイレクト・リンク・サービス（ＤＬＳ）送信を備える、
多くの装置が前記第２の装置とのＤＬＳ接続を有していると判定することと、
前記空間ストリーム割当を、前記多くの装置へ送信することと、
をさらに備える発明２８に記載の方法。
［発明３４］
前記ＭＵ送信は、前記第２の装置と前記装置のグループとの間のダイレクト・リンク・サービス（ＤＬＳ）送信、またはマルチ・ユーザ複数入力複数出力（ＭＵ−ＭＩＭＯ）送信のうちの少なくとも１つを備える、発明２８に記載の方法。
［発明３５］
無線通信のための第１の装置であって、
マルチ・ユーザ（ＭＵ）送信を受信する装置のグループを識別するグループ識別子（ＩＤ）の割当を要求するメッセージを第２の装置から受信する手段と、
割り当てられたグループＩＤに対応する、装置のグループの空間ストリーム割当が、前記第１の装置と前記第２の装置とで同じになるように、前記割り当てられたグループＩＤを示すインジケーションを、前記第２の装置へ送信する手段と、
を備える第１の装置。
［発明３６］
前記装置のグループに前記グループＩＤを割り当てる手段、をさらに備える発明３５に記載の第１の装置。
［発明３７］
前記メッセージはまた、前記装置のグループのための空間ストリーム割当の割当を要求するためのものであり、
前記割り当てる手段はさらに、前記空間ストリーム割当を割り当てるように構成され、
前記送信する手段はさらに、前記装置のグループのための前記空間ストリーム割当を示すインジケーションを送信するように構成された、発明３６に記載の第１の装置。
［発明３８］
前記送信する手段はさらに、前記装置のグループのうちの少なくとも１つのための空間ストリーム割当および前記グループＩＤを示す別のメッセージを、前記装置のグループのうちの少なくとも１つへ送信するように構成された、発明３７に記載の第１の装置。
［発明３９］
前記受信する手段はさらに、前記別のメッセージを受信した、前記装置のグループのうちの少なくとも１つから、アクノレッジメント（ＡＣＫ）を受信するように構成された、発明３８に記載の第１の装置。
［発明４０］
前記第２の装置が、前記第１の装置と前記第２の装置との間での機能交換によって、前記ＤＬＳ送信のために構成されていると判定する手段と、ここで、前記ＭＵ装置は、前記第２の装置と前記装置のグループとの間のダイレクト・リンク・サービス（ＤＬＳ）送信を備える、
多くの装置が前記第２の装置とのＤＬＳ接続を有していると判定する手段と、ここで、前記送信する手段はさらに、前記空間ストリーム割当を、前記多くの装置へ送信するように構成された、
をさらに備える発明３５に記載の第１の装置。
［発明４１］
前記ＭＵ送信は、前記第２の装置と前記装置のグループとの間のダイレクト・リンク・サービス（ＤＬＳ）送信、またはマルチ・ユーザ複数入力複数出力（ＭＵ−ＭＩＭＯ）送信のうちの少なくとも１つを備える、発明３５に記載の第１の装置。
［発明４２］
無線通信のためのコンピュータ・プログラム製品であって、
マルチ・ユーザ（ＭＵ）送信を受信する装置のグループを識別するグループ識別子（ＩＤ）の割当を要求するメッセージを、第１の装置において、第２の装置から受信し、
割り当てられたグループＩＤに対応する、前記装置のグループの空間ストリーム割当が、前記第１の装置と前記第２の装置とで同じになるように、前記割り当てられたグループＩＤを示すインジケーションを、前記第２の装置へ送信する、
ように実行可能な命令群を備えるコンピュータ読取可能な媒体を備える、コンピュータ・プログラム製品。
［発明４３］
アクセス・ポイントであって、
少なくとも１つのアンテナと、
マルチ・ユーザ（ＭＵ）送信を受信する装置のグループを識別するグループ識別子（ＩＤ）の割当を要求するメッセージを、前記少なくとも１つのアンテナを介して装置から受信するように構成された受信機と、
割り当てられたグループＩＤに対応する、装置のグループの空間ストリーム割当が、前記アクセス・ポイントと前記装置とで同じになるように、前記割り当てられたグループＩＤを示すインジケーションを前記装置へ送信するように構成された送信機と、
を備えるアクセス・ポイント。
【図１】
0005746371.tif 000002
【図２】
0005746371.tif 000003
【図３】
0005746371.tif 000004
【図４】
0005746371.tif 000005
【図５】
0005746371.tif 000006
【図５Ａ】
0005746371.tif 000007
【図６】
0005746371.tif 000008
【図６Ａ】
0005746371.tif 000009
【図７】
0005746371.tif 000010